(57)【要約】器具滅菌装置と生物医学廃棄物処理装置の組み合わせであって、各ユニットは共通の蒸気ボイラーから蒸気を供給され、好ましい実施形態では廃棄物処理装置は回転切削端を持つ遊星運動ギアボックスを内包する破砕装置を用いる。
2004511328.tif 000002
【特許請求の範囲】
【請求項１】
廃棄物処理装置と器具滅菌装置の組み合わせであって、
ハウジングを備え、前記ハウジングが、器具を保持するための１つまたはそれ以上のトレイを内包した第１密封可能コンパートメントと、廃棄処理装置を内包した第２密封可能コンパートメントとを備え、前記廃棄物処理装置が、破砕装置へと案内するホッパと、前記第１、第２コンパートメントに蒸気を供給するべくハウジング内に配置されたボイラとを備える装置。
【請求項２】
前記第１コンパートメントが前記第２コンパートメントの上に配置されている請求項１に記載の装置。
【請求項３】
前記破砕装置が、モータで駆動される遊星運動ギアボックスを備え、前記ギアボックスが１つまたはそれ以上の回転カッタを備える請求項１または２のいずれか１項に記載の装置。
【請求項４】
前記ギアボックスがある方向に回転し、１つまたはそれ以上のカッタが反対方向に回転する請求項３に記載の装置。
【請求項５】
各カッタが反対方向の切削端を備えている請求項４に記載の装置。
【請求項６】
廃棄物処理および器具滅菌装置であって、
器具を保持するための１つまたはそれ以上のトレイを保持する、第１個別および密封可能なコンパートメントと、
生物医療廃棄物処理装置を内部に配置した第２個別および密封可能なコンパートメントとを備え、前記廃棄処理装置が破砕装置へと続くホッパを備え、
前記第１、第２個別コンパートメントに蒸気を供給するボイラを内包した第３個別コンパートメントを備える装置。
【請求項７】
前記破砕装置が、回転カッタを具備する遊星運動ギアボックスを備えている請求項６に記載の装置。
【請求項８】
前記回転カッタが、反対方向の螺旋カッタ縁を備えている請求項７に記載の装置。
【請求項９】
トレイまたは破砕装置のいずれかに蒸気ジャケットが設けられている請求項１〜８のいずれか１項に記載の装置。
【請求項１０】
前記廃棄物処理装置がさらに、蒸気処理以前または処理後に、外気を排出するための真空ポンプを備える請求項１〜９のいずれか１項に記載の装置。
【請求項１１】
さらに排出されたガスを処理するための粒子阻止装置を備える請求項１〜１０のいずれか１項に記載の装置。
【請求項１２】
さらにカッタ付近に格子を備え、前記格子に対して廃棄物が強制移動され、また廃棄物が排出チャンバへ入る前に前記格子を通る請求項１〜１１のいずれか１項に記載の装置。
【請求項１３】
前記装置の活動のログファイルにデータを供給するためのプログラム可能なロッジ装置を備える請求項１〜１２のいずれか１項に記載の装置。
【発明の詳細な説明】
【０００１】
（技術分野）
本発明は、生物医療廃棄物の滅菌、および医療器具に関し、より詳細には、生物医療廃棄物処理装置と器具滅菌装置のコンパクトな組み合わせに関するものである。
【０００２】
（背景技術）
現下の医療廃棄物の処理方法の多くは高額であり、広いスペースを要し、環境を破壊するものであるが、これは、このような装置のエネルギー消費が、１回に処理される廃棄物の大きさと不釣合いなためである。
【０００３】
（発明の開示）
本発明の１つの態様によれば、廃棄物処理装置と器具滅菌装置の組み合わせであって、ハウジングを備え、
前記ハウジングが、器具を保持するための１つまたはそれ以上のトレイを内包した第１密封可能コンパートメントと、廃棄処理装置を内包した第２密封可能コンパートメントとを備え、前記廃棄物処理装置が、破砕装置へと案内するホッパと、前記第１、第２コンパートメントに蒸気を供給するべくハウジング内に配置されたボイラとを備える装置が得られる。
【０００４】
本発明の別の態様によれば、廃棄物処理および器具滅菌装置であって、
器具を保持するための１つまたはそれ以上のトレイを保持する、第１個別および密封可能なコンパートメントと、
生物医療廃棄物処理装置を内部に配置した第２個別および密封可能なコンパートメントとを備え、
前記廃棄処理装置が破砕装置へと続くホッパを備え、前記第１、第２個別コンパートメントに蒸気を供給するボイラを内包した第３個別コンパートメントをさらに備える装置が得られる。
【０００５】
本発明の好ましい実施形態では、生物医療廃棄物滅菌装置および器具滅菌装置には、共通の蒸気発生器からの蒸気が供給される。
【０００６】
本発明の別の実施形態では、装置の動作は、装置の活動のログファイルにデータを供給するプログラム可能な論理装置によって統制される。
【０００７】
本発明の好ましい実施形態では、生物医療廃棄物破砕装置は、遊星運動ギアボックスを含んでおり、該遊星運動ギアボックス内では遊星ギアが一群の回転カッタを駆動する。
【０００８】
本発明の特定の実施形態では、該一群が第１方向に回転し、独立カッタが反対方向に回転する。
【０００９】
（発明を実施するための最良の形態）
図１に示すように、生物医療廃棄物処理装置と器具滅菌装置１０は、単一のハウジング１１内に一括収容されている。ハウジング１１には、器具パネル１２、スライドドア１４でアクセスされる密封上部コンパートメント１３、開き戸またはスライド引き出し１６でアクセスされる密封下部コンパートメント１５、処理済みの廃棄物器具への接触を可能にする下部スライド引き出し１７が組み込まれている。制御パネル１２には、タッチ画面ディスプレイ６０をさらに組み込むこともできる。ハウジング１１と作業面は、ステンレス鋼で形成することが好ましく、また、装置１０全体は、キャスタまたは車輪１８上に取り付けてもよい。この装置１０は、ベンチ頂面下で使用するための大きさにされている。
【００１０】
好ましい実施形態では、ドアまたは引き出し１４は、滅菌のために医療器具を受容するべく適合させられた積層トレイ２０の配置へのアクセスを可能にする。
【００１１】
下部コンパートメント１５は、生物医療廃棄物破砕装置および滅菌装置２１を内包している。ドアまたは引き出し１６により、汚染廃棄物がホッパ２２内に案内される。ドアまたは引き出し１６が閉鎖されている場合、釣り合い錘２３によりホッパ２２の内容物が破砕装置２４へと強制移動される。ホッパ２２、トレイ２０、および破砕装置範囲に、外部からまたは内部ボイラ３０から供給される蒸気用ジャケット４０を設けることができる。蒸気ジャケットは、破砕装置機構２４の運搬が開始する前にホッパ２２の内容物を事前加熱するべく使用することができる。滅菌済みおよび破砕済みの廃棄物が、装置１０の前部上の引き出し１７を介して使用者がアクセス可能なコンパートメント５０へと運搬される。
【００１２】
破砕装置２４は、ベルトまたはチェーン駆動部２６を介して電気モータ２５によって駆動される。
【００１３】
好ましい実施例では、２００キロパスカルの圧力と１３４℃の温度にて蒸気が供給される。典型的なプログラムでは、加圧した蒸気を約３．５分間管理する。この装置では、ホッパのサイズに従って、約１０〜１５リットル／サイクルの処理率が可能であり、また、標準で１０アンペア／２４０ボルトの電力供給から動作することができる。プログラム論理制御装置３１により、ほぼ全ての用途要求の特別な必要性に適するように、使用者が決定するある範囲の、または事前にプログラムされたサイクルが許容される。
【００１４】
さらにこの装置１０は、器具または廃棄物蒸気処理の実施以前に、外気を排出することを目的とした真空ポンプ３２を具備することができ、また、蒸気処理後にも装置を真空にするべく使用することができる。
【００１５】
この装置１０は、排出ガス処理のために、効率の高い粒子阻止装置（ＨＥＰＡ）３３を備えている。
【００１６】
さらに、破砕・滅菌工程により生じた気体および液体副産物を処理するためのコンデンサ３４と水濾過装置３５が提供される。
【００１７】
図４に示すように、好ましい破砕機構１０８は、モータ２５で駆動する遊星運動装置ギアボックス１１０を備えている。ギアボックス１０８の各々の遊星ギアが回転カッタ１０９を駆動する。各カッタは縦切削端１２０を特徴とし、１つまたはそれ以上のカッタ１０９の端面上に任意の放射状に配置された切断歯１２１を含む。より好ましい実施形態では、ギアボックス１１０の中心軸１２５の回転により、一群の切断頭部１０９がある方向１２６に回転し、また、独立したカッタ１０９がそれとは反対の方向１２７に回転する。
【００１８】
図５に示すように、回転カッタ２００は、図４に示した縦切断縁１２０ではなく、むしろ螺旋形の切削端を採用している。図５に示す例では、螺旋形切断縁２０１が反対方向に設けられている。そのため、カッタが矢印２０３の方向に回転すると、螺旋端２１と接触する廃棄物が、ギアボックス１２７へではなく、むしろカッタの表面２０２へと強制移動される。
【００１９】
装置１０はさらに、オンラインシステム診断と、他の装置へのリアルタイムのデータリンクとを行うことができる。これは、個人的な携帯情報端末（ＰＤＡ）によって任意で制御することができ、また、あらゆる形式の動作ログファイルを提供する。
【００２０】
動作中に、作業者は廃棄物をホッパ２２内に入れ、ハッチドア１６が手動または自動的に密封される。これが実行されないと、システムは作動しない。ドアが閉鎖すると、釣り合い錘２３が廃棄物上に背圧を維持する。続いて装置が開始する。
【００２１】
全ての空気を除去すべく真空化が行われ、排出される空気は流入する蒸気ライン上に瞬時に流され、ＨＥＰＡ、任意のオゾンまたは紫外線処理を介して濾過される。
【００２２】
その後、内部ボイラ３０または外部蒸気源が、複数の蒸気ポイントを介して処理チャンバへと蒸気が運ばれる。あるいは、内部ヒータが廃液を蒸気に変換し、動的な飽和蒸気環境が確立される。事前設定温度が、合計７分間のサイクル内で維持される（１３４℃、３．５分間）。
【００２３】
複数のカッタ１０９が、製品を握持し、また引き裂きながらある１方向に回転する一方で、駆動ヘッド１１０が反対方向に回転し、処理チャンバの内部周囲にある材料を移送する。必要な滞留時間が得られると、蒸気が大気圧力へと下降排出され、また、事前に特定した安全条件に達すると、排気ドア１７が自動的に解除される。カッタが３分間動作を継続し、廃棄物は特別に設計された格子９０に対して強制移動され、該格子９０では破砕された材料は最も抵抗の少ない通路を通り、排出チャンバ／バッグへ続く穴を介して放出される。
【００２４】
格子９０内の穴の大きさにより、排出される材料の断面が効率的に制御される。
【００２５】
カッタにより動的環境が継続的に提供されつつ、凝縮物を除去し、破砕した廃棄物の乾燥を促進するための後処理真空化が行われる。
【００２６】
処置サイクル後に、機械の内壁面を衛生的にするべく、ユニットが蒸気で清浄される。
【００２７】
供給およびカッタユニットが、ＰＬＣ３１により制御される自動処理シーケンスを備えた電動装置２５、２６によって電力供給される。この特徴は、ユニットが標準の家庭用電源で動作することを意味する。
【００２８】
この装置は、関係する材料に従って、また、１０〜１５リットル／サイクルの処理率を有し、標準の１０アンペア／２４０ボルトの電源で、１３４℃において動作する。ＰＬＣによって、ほぼ全ての用途要求の特別な必要性に見合うべく、事前にプログラムされた別のサイクルの範囲が可能になる。
【００２９】
全てのステンレス鋼機械は、最適な運転、長い耐久性、低メンテナンス、簡単な操作を提供するべく設計されたものである。
【００３０】
図６に示すように、上部コンパートメント１３と下部コンパートメント１５を、共通の蒸気発生器またはボイラ２１２によって供給される個別のユニット２１０、２１１として効率的に設けることができる。個別のコンパートメント２１０には、滅菌する医療器具を受容するように適合させられた積層トレイ２１３の配置が含まれている。他の個別コンパートメント２１１は、図３に示したタイプの生物医療廃棄物破砕装置および滅菌装置を備えている。個別のコンパートメント２１０、２１１のそれぞれ上に個別の器具制御２１５、２１６を設けてもよい。あるいは、共通の制御パネル２１７を蒸気ボイラ２１２上に配置して、両方のコンパートメント２１０、２１１を制御するようにしてもよい。それにより、器具滅菌装置２１０は、廃棄物粉砕装置から物理的に分離される。
【００３１】
本発明を使用すれば、廃棄コストに関する上で、組織および個人は相当なコスト節約を行うことができる。さらに、本発明の利用により、将来的なコスト、操作コスト、移送の負担の大幅な削減も可能になる。
【００３２】
本発明を、構造の特定な詳細に関連して開示してきたが、これらは例証の目的で提供されたものであり、本発明の範囲または精神を制限するものではない。
【図面の簡単な説明】
【図１】
図１は、本発明の技術による電気器具の前正面図である。
【図２】
図２は、図１に示した装置の側面図である。
【図３】
図３は、図１および図２に示した装置を部分的に切断した略側面図である。
【図４】
図４は、本発明の技術による遊星運動ギアボックスを含む破砕装置の斜視図である。
【図５】
図５は、反対方向の螺旋切削端を具備したカッタを含む遊星運動ギアボックスの斜視図である。
【図６】
図６は、医療器具滅菌装置と設置した滅菌ステーションとに供給するための共通の蒸気ボイラを使用した装置の略図である。
【国際公開パンフレット】
2004511328.tif 000003
2004511328.tif 000004
2004511328.tif 000005
2004511328.tif 000006
2004511328.tif 000007
2004511328.tif 000008
2004511328.tif 000009
2004511328.tif 000010
2004511328.tif 000011
2004511328.tif 000012
2004511328.tif 000013
2004511328.tif 000014
2004511328.tif 000015
2004511328.tif 000016
【国際調査報告】
2004511328.tif 000017
2004511328.tif 000018